(57)【要約】【課題】ユーザに対して体重計による体重の測定結果を音声で通知するにあたり、体重計の周囲の状況に適応してその通知内容が適切に変更されるようにする。【解決手段】体重計は、体重を測定した測定値をネットワーク経由でサーバに送信する。人検知端末は、体重計の近傍の人を検知して人検知情報をネットワーク経由でサーバに送信する。サーバは、受信した人検知情報に基づいて体重計の近傍における被測定者以外の人の存在状況を判定する。そして、サーバは、判定した人の存在状況に応じた内容の測定結果通知音声を生成し、生成した測定結果通知音声を音声出力部により音声として出力させるためにネットワーク経由で送信する。【選択図】図２
2013257295.tif 000002
【特許請求の範囲】
【請求項１】
体重計と、人検知端末と、サーバとを備え、
前記体重計は、
体重を測定した結果を示す測定値を出力する測定部を備え、
前記人検知端末は、
前記体重計の近傍の人を検知して人検知情報を出力する人検知部を備え、
前記サーバは、
前記人検知情報に基づいて、前記体重計の近傍における被測定者以外の人の存在状況を判定する人存在判定部と、
前記測定値に基づく測定結果を通知する測定結果通知音声を、判定された人の存在状況を少なくとも含む前記体重計の周囲の状況に応じた所定の態様により所定の音声出力部から出力させる音声出力制御部とを備える、
ことを特徴とする体重測定システム。
【請求項２】
前記人存在判定部は、
前記被測定者以外の人が前記体重計の近傍に存在していない状況と、前記被測定者以外の人が前記体重計の近傍に存在している状況とを区別して判定し、
前記音声出力制御部は、
前記被測定者以外の人が前記体重計の近傍に存在していない状況であると判定された場合と、前記被測定者以外の人が前記体重計の近傍に存在している状況と判定された場合とに応じて、それぞれ異なる内容の前記測定結果通知音声を出力させる、
ことを特徴とする請求項１に記載の体重測定システム。
【請求項３】
前記人存在判定部は、
前記被測定者以外の人が前記体重計の近傍に存在している状況として、前記被測定者以外の人が前記体重計の設置された家屋の外に存在している状況と、前記被測定者以外の人が前記体重計の設置された家屋の外には存在していないが家屋内に存在している状況とでさらに区分して判定し、
前記音声出力制御部は、
前記被測定者以外の人が前記体重計の設置された家屋の外に存在している状況であると判定された場合と、前記被測定者以外の人が前記体重計の設置された家屋の外には存在していないが家屋内に存在している状況であると判定された場合とに応じて、それぞれ異なる内容の前記測定結果通知音声を出力させる、
ことを特徴とする請求項２に記載の体重測定システム。
【請求項４】
前記音声出力制御部は、
前記被測定者以外の人が前記体重計の設置された家屋の外に存在している状況から存在しない状況に変化したことが判定されるのに応じて、前記被測定者以外の人の家屋内の存在状況に応じた測定結果通知音声を出力させる、
ことを特徴とする請求項３に記載の体重測定システム。
【請求項５】
前記音声出力制御部または前記音声出力部は、
前記体重計の周囲の音量に応じて前記測定結果通知音声の出力態様を変更する、
ことを特徴とする請求項１から４のいずれか一項に記載の体重測定システム。
【請求項６】
前記音声出力制御部または前記音声出力部は、
測定結果通知音声の出力中における体重の計測値に基づいて前記体重計の上に人が乗っている状態から乗っていない状態に変化したことを判定した場合に、前記測定結果通知音声の出力を停止させる、
ことを特徴とする請求項１から５のいずれか一項に記載の体重測定システム。
【請求項７】
前記音声出力制御部は、
前記体重計が備える前記音声出力部から前記測定結果通知音声を出力させる、
ことを特徴とする請求項１から６のいずれか一項に記載の体重測定システム。
【請求項８】
前記音声出力制御部は、
前記体重計と異なる端末が備える前記音声出力部から前記測定結果通知音声を出力させる、
ことを特徴とする請求項１から６のいずれか一項に記載の体重測定システム。
【請求項９】
前記音声出力制御部は、
被測定者以外の人が前記体重計の近傍に存在していない状況であると判定された場合と、被測定者以外の人が前記体重計の近傍に存在している状況であると判定された場合とに応じて、測定結果通知音声を出力させる前記音声出力部を変更する、
ことを特徴とする請求項１に記載の体重測定システム。
【請求項１０】
前記音声出力制御部は、
前記被測定者以外の人が前記体重計の近傍に存在していない状況であると判定された場合に、前記体重計が備える前記音声出力部から前記測定結果通知音声を出力させ、
前記被測定者以外の人が前記体重計の近傍に存在していない状況であると判定された場合に、前記被測定者が所有する端末が備える前記音声出力部から前記測定結果通知音声を出力させる、
ことを特徴とする請求項９に記載の体重測定システム。
【請求項１１】
人検知端末からネットワーク経由で送信される体重計の近傍の人についての検知結果を示す人検知情報に基づいて、前記体重計の近傍における被測定者以外の人の存在状況を判定する人存在判定部と、
前記体重計が体重を測定した結果を示す測定値に基づく測定結果を通知する測定結果通知音声を前記ネットワーク経由で送信することにより、判定された人の存在状況を少なくとも含む前記体重計の周囲の状況に応じた所定の態様により所定の音声出力部から出力させる音声出力制御部と、
を備えることを特徴とするサーバ。
【請求項１２】
体重を測定した結果を示す測定値を出力する測定部と、
体重計の近傍の人を検知して人検知情報を出力する人検知部と、
前記人検知情報に基づいて、前記体重計の近傍における被測定者以外の人の存在状況を判定する人存在判定部と、
前記測定値に基づく測定結果を通知する測定結果通知音声を、判定された人の存在状況を少なくとも含む前記体重計の周囲の状況に応じた所定の態様により出力させる音声出力制御部と、
を備えることを特徴とする体重計。
【請求項１３】
体重計と、人検知端末と、サーバとを備える体重測定システムにおける体重測定結果通知方法であって、
前記体重計は、
体重を測定した結果を示す測定値を出力する測定ステップを備え、
前記人検知端末は、
前記体重計の近傍の人を検知して人検知情報を出力する人検知ステップを備え、
前記サーバは、
前記人検知情報に基づいて、前記体重計の近傍における被測定者以外の人の存在状況を判定する人存在判定ステップと、
前記測定値に基づく測定結果を通知する測定結果通知音声を、判定された人の存在状況を少なくとも含む前記体重計の周囲の状況に応じた所定の態様により所定の音声出力部から出力させる音声出力制御ステップとを備える、
ことを特徴とする体重測定結果通知方法。
【請求項１４】
人検知端末からネットワーク経由で送信される体重計の近傍の人についての検知結果を示す人検知情報に基づいて、前記体重計の近傍における被測定者以外の人の存在状況を判定する人存在判定ステップと、
前記体重計が体重を測定した結果を示す測定値に基づく測定結果を通知する測定結果通知音声を前記ネットワーク経由で送信することにより、判定された人の存在状況を少なくとも含む前記体重計の周囲の状況に応じた所定の態様により所定の音声出力部から出力させる音声出力制御ステップと、
を備えることを特徴とする体重測定結果通知方法。
【請求項１５】
体重を測定した結果を示す測定値を出力する測定ステップと、
体重計の近傍の人を検知して人検知情報を出力する人検知ステップと、
前記人検知情報に基づいて、前記体重計の近傍における被測定者以外の人の存在状況を判定する人存在判定ステップと、
前記測定値に基づく測定結果を通知する測定結果通知音声を、判定された人の存在状況を少なくとも含む前記体重計の周囲の状況に応じた所定の態様により出力させる音声出力制御ステップと、
を備えることを特徴とする体重測定結果通知方法。
【請求項１６】
コンピュータに、
人検知端末からネットワーク経由で送信される体重計の近傍の人についての検知結果を示す人検知情報に基づいて、前記体重計の近傍における被測定者以外の人の存在状況を判定する人存在判定ステップと、
前記体重計が体重を測定した結果を示す測定値に基づく測定結果を通知する測定結果通知音声を前記ネットワーク経由で送信することにより、判定された人の存在状況を少なくとも含む前記体重計の周囲の状況に応じた所定の態様により所定の音声出力部から出力させる音声出力制御ステップと、
を実行させるためのプログラム。
【請求項１７】
コンピュータに、
体重を測定した結果を示す測定値を出力する測定ステップと、
体重計の近傍の人を検知して人検知情報を出力する人検知ステップと、
前記人検知情報に基づいて、前記体重計の近傍における被測定者以外の人の存在状況を判定する人存在判定ステップと、
前記測定値に基づく測定結果を通知する測定結果通知音声を、判定された人の存在状況を少なくとも含む前記体重計の周囲の状況に応じた所定の態様により出力させる音声出力制御ステップと、
を実行させるためのプログラム。
【発明の詳細な説明】
【技術分野】
【０００１】
本発明は、体重測定システム、サーバ、体重計、体重測定結果通知方法およびプログラムに関する。
【背景技術】
【０００２】
体重計として、例えば、特定のユーザの初期体重を記憶しておき、この後において体重が測定されるごとに、測定された体重と初期体重との差を音声により告知するようにしたものが知られている（例えば、特許文献１参照）。これにより、測定結果の通知にあたり初期体重が通知されることはないのでユーザのプライバシーが保護される。
【先行技術文献】
【特許文献】
【０００３】
【特許文献１】特開２００８−１９１１５４号公報
【発明の概要】
【発明が解決しようとする課題】
【０００４】
しかし、ユーザによっては、例えば周囲に人がいなければかまわないが、周囲に人がいるときには、初期体重と現在の体重との差分ですらも聞かれたくないと思う場合があると考えられる。しかし、特許文献１の体重計では、周囲の人の存在の有無にかかわらず、測定結果が通知されてしまう。
【０００５】
本発明は、このような事情に鑑みてなされたもので、ユーザに対して体重計による体重の測定結果を音声で通知するにあたり、体重計の周囲の状況に応じてその通知の態様が適切に変更されるようにすることを目的とする。
【課題を解決するための手段】
【０００６】
上述した課題を解決するために、本発明の一態様としての体重測定システムは、体重計と、人検知端末と、サーバとを備え、前記体重計は、体重を測定した結果を示す測定値を出力する測定部を備え、前記人検知端末は、前記体重計の近傍の人を検知して人検知情報を出力する人検知部を備え、前記サーバは、前記人検知情報に基づいて、前記体重計の近傍における被測定者以外の人の存在状況を少なくとも含む前記体重計の周囲の状況を判定する人存在判定部と、前記測定値に基づく測定結果を通知する測定結果通知音声を、判定された人の存在状況に応じた所定の態様により所定の音声出力部から出力させる音声出力制御部とを備える。
【０００７】
また、本発明の体重測定システムにおいて、前記人存在判定部は、前記被測定者以外の人が前記体重計の近傍に存在していない状況と、前記被測定者以外の人が前記体重計の近傍に存在している状況とを区別して判定し、前記音声出力制御部は、前記被測定者以外の人が前記体重計の近傍に存在していない状況であると判定された場合と、前記被測定者以外の人が前記体重計の近傍に存在している状況と判定された場合とに応じて、それぞれ異なる内容の前記測定結果通知音声を出力させてもよい。
【０００８】
また、本発明の体重測定システムにおいて、前記人存在判定部は、前記被測定者以外の人が前記体重計の近傍に存在している状況として、前記被測定者以外の人が前記体重計の設置された家屋の外に存在している状況と、前記被測定者以外の人が前記体重計の設置された家屋の外には存在していないが家屋内に存在している状況とでさらに区分して判定し、前記音声出力制御部は、前記被測定者以外の人が前記体重計の設置された家屋の外に存在している状況であると判定された場合と、前記被測定者以外の人が前記体重計の設置された家屋の外には存在していないが家屋内に存在している状況であると判定された場合とに応じて、それぞれ異なる内容の前記測定結果通知音声を出力させてもよい。
【０００９】
また、本発明の体重測定システムにおいて、前記音声出力制御部は、前記被測定者以外の人が前記体重計の設置された家屋の外に存在している状況から存在しない状況に変化したことが判定されるのに応じて、前記被測定者以外の人の家屋内の存在状況に応じた測定結果通知音声を出力させてもよい。
【００１０】
また、本発明の体重測定システムにおいて、前記音声出力制御部または前記音声出力部は、前記体重計の周囲の音量に応じて前記測定結果通知音声の出力態様を変更してもよい。
【００１１】
また、本発明の体重測定システムにおいて、前記音声出力制御部または前記音声出力部は、測定結果通知音声の出力中における体重の計測値に基づいて前記体重計の上に人が乗っている状態から乗っていない状態に変化したことを判定した場合に、前記測定結果通知音声の出力を停止させてもよい。
【００１２】
また、本発明の体重測定システムにおいて、前記音声出力制御部は、前記体重計が備える前記音声出力部から前記測定結果通知音声を出力させてもよい。
【００１３】
また、本発明の体重測定システムにおいて、前記音声出力制御部は、前記体重計と異なる端末が備える前記音声出力部から前記測定結果通知音声を出力させてもよい。
【００１４】
また、本発明の体重測定システムにおいて、前記音声出力制御部は、被測定者以外の人が前記体重計の近傍に存在していない状況であると判定された場合と、前記被測定者以外の人が前記体重計の近傍に存在している状況であると判定された場合とに応じて、測定結果通知音声を出力させる前記音声出力部を変更してもよい。
【００１５】
また、本発明の体重測定システムにおいて、前記音声出力制御部は、前記被測定者以外の人が前記体重計の近傍に存在していない状況であると判定された場合に、前記体重計が備える前記音声出力部から前記測定結果通知音声を出力させ、前記被測定者以外の人が前記体重計の近傍に存在していない状況であると判定された場合に、前記被測定者が所有する端末が備える前記音声出力部から前記測定結果通知音声を出力させてもよい。
【００１６】
また、本発明の一態様としてのサーバは、人検知端末からネットワーク経由で送信される体重計の近傍の人についての検知結果を示す人検知情報に基づいて、前記体重計の近傍における被測定者以外の人の存在状況を判定する人存在判定部と、前記体重計が体重を測定した結果を示す測定値に基づく測定結果を通知する測定結果通知音声を前記ネットワーク経由で送信することにより、判定された人の存在状況を少なくとも含む前記体重計の周囲の状況に応じた所定の態様により所定の音声出力部から出力させる音声出力制御部とを備える。
【００１７】
また、本発明の一態様としての体重計は、体重を測定した結果を示す測定値を出力する測定部と、体重計の近傍の人を検知して人検知情報を出力する人検知部と、前記人検知情報に基づいて、前記体重計の近傍における被測定者以外の人の存在状況を判定する人存在判定部と、前記測定値に基づく測定結果を通知する測定結果通知音声を、判定された人の存在状況に応じた所定の態様により出力させる音声出力制御部とを備える。
【００１８】
また、本発明の一態様としての体重測定結果通知方法は、体重計と、人検知端末と、サーバとを備える体重測定システムにおける体重測定結果通知方法であって、前記体重計は、体重を測定した結果を示す測定値を出力する測定ステップを備え、前記人検知端末は、前記体重計の近傍の人を検知して人検知情報を出力する人検知ステップを備え、前記サーバは、前記人検知情報に基づいて、前記体重計の近傍における被測定者以外の人の存在状況を判定する人存在判定ステップと、前記測定値に基づく測定結果を通知する測定結果通知音声を、判定された人の存在状況を少なくとも含む前記体重計の周囲の状況に応じた所定の態様により所定の音声出力部から出力させる音声出力制御ステップとを備える。
【００１９】
また、本発明の一態様としての体重測定結果通知方法は、人検知端末からネットワーク経由で送信される体重計の近傍の人についての検知結果を示す人検知情報に基づいて、前記体重計の近傍における被測定者以外の人の存在状況を判定する人存在判定ステップと、前記体重計が体重を測定した結果を示す測定値に基づく測定結果を通知する測定結果通知音声を前記ネットワーク経由で送信することにより、判定された人の存在状況を少なくとも含む前記体重計の周囲の状況に応じた所定の態様により所定の音声出力部から出力させる音声出力制御ステップとを備える。
【００２０】
また、本発明の一態様としての体重測定結果通知方法は、体重を測定した結果を示す測定値を出力する測定ステップと、体重計の近傍の人を検知して人検知情報を出力する人検知ステップと、前記人検知情報に基づいて、前記体重計の近傍における被測定者以外の人の存在状況を判定する人存在判定ステップと、測定値に基づく測定結果を通知する測定結果通知音声を、判定された人の存在状況を少なくとも含む前記体重計の周囲の状況に応じた所定の態様により出力させる音声出力制御ステップとを備える。
【００２１】
また、本発明の一態様としてのプログラムは、コンピュータに、人検知端末からネットワーク経由で送信される体重計の近傍の人についての検知結果を示す人検知情報に基づいて、前記体重計の近傍における被測定者以外の人の存在状況を判定する人存在判定ステップと、前記体重計が体重を測定した結果を示す測定値に基づく測定結果を通知する測定結果通知音声を前記ネットワーク経由で送信することにより、判定された人の存在状況を少なくとも含む前記体重計の周囲の状況に応じた所定の態様により所定の音声出力部から出力させる音声出力制御ステップとを実行させるためのものである。
【００２２】
また、本発明の一態様としてのプログラムは、コンピュータに、体重を測定した結果を示す測定値を出力する測定ステップと、体重計の近傍の人を検知して人検知情報を出力する人検知ステップと、前記人検知情報に基づいて、前記体重計の近傍における被測定者以外の人の存在状況を判定する人存在判定ステップと、測定値に基づく測定結果を通知する測定結果通知音声を、判定された人の存在状況を少なくとも含む前記体重計の周囲の状況に応じた所定の態様により出力させる音声出力制御ステップとを実行させるためのものである。
【発明の効果】
【００２３】
以上説明したように、この発明によれば、ユーザに対して体重計による体重の測定結果を音声で通知するにあたり、体重計の周囲の状況に応じてその通知の態様が適切に変更されるという効果が得られる。
【図面の簡単な説明】
【００２４】
【図１】本発明の実施形態における体重測定システムの構成例を示す図である。
【図２】本実施形態における体重計と、人検知端末と、音声出力端末と、サーバの構成例を示す図である。
【図３】本実施形態におけるユーザ情報の構造例を示す図である。
【図４】第１の実施形態における体重計と、人検知端末と、サーバが実行する処理手順例を示す図である。
【図５】第１の実施形態における音声出力制御部が実行する、ユーザ以外の人の存在状況に応じた測定結果通知音声生成のための処理手順例を示す図である。
【図６】第２の実施形態において、家屋の外に人が存在していた場合にサーバが実行する処理手順例を示す図である。
【図７】第４の実施形態において、サーバが実行する処理手順例を示す図である。
【図８】第５の実施形態における体重計の構成例を示す図である。
【図９】第６の実施形態における体重計の構成例を示す図である。
【発明を実施するための形態】
【００２５】
＜第１の実施形態＞
［体重測定システムの構成］
図１は、本発明の第１の実施形態における体重測定システムの構成例を示している。
この図に示す体重測定システムは、家屋１０において、体重計１００と、人感センサ２００−１と、スマートフォン２００−２と、アクティブスピーカ２００−３と、カメラ２００−４とルータ３００とを備える。
【００２６】
体重計１００と、人感センサ２００−１と、スマートフォン２００−２と、アクティブスピーカ２００−３と、カメラ２００−４は、それぞれ、ルータ３００との間で有線または無線による所定の通信方式により接続される。有線による通信方式としては、例えば有線ＬＡＮ（Local Area Network）を採用できる。また、無線による通信方式としては、例えば、無線ＬＡＮ、Ｂｌｕｅｔｏｏｔｈ（登録商標）、Ｚｉｇｂｅｅ（登録商標）、Ｚ−Ｗａｖｅ（登録商標）などを採用できる。これらの無線通信方式のうち、無線ＬＡＮ以外のものについては、例えば無線ＬＡＮと比較して低消費電力であることから、バッテリにより動作するものとの対応では持続時間が長くなって有利である。また、これらの無線ＬＡＮ以外の無線通信方式を採用する場合、例えばルータ３００との間にゲートウェイを介在させることになるが、図１においては、このゲートウェイの図示は省略している。また、ルータ３００がゲートウェイを内蔵する構成であれば、ゲートウェイを別途に設ける必要はない。
ルータ３００は、ネットワーク４００と接続される。このネットワーク４００は例えばインターネットであり、このネットワーク４００にはサーバ５００が接続されている。
【００２７】
このような構成により、家屋１０において、体重計１００と、人感センサ２００−１と、スマートフォン２００−２と、アクティブスピーカ２００−３と、カメラ２００−４は、それぞれ、ルータ３００からネットワーク４００を経由してサーバ５００と通信可能に接続される。
【００２８】
体重計１００は、ユーザの体重を測定し、測位した体重を示す測定値を、サーバ５００に送信する。また、体重計１００は、サーバ５００から送信される測定結果通知音声を受信し、音声として出力する。
【００２９】
また、家屋１０における人感センサ２００−１とカメラ２００−４は、人の存在を検知してサーバ５００に通知する人検知端末２００Ａとして機能する。
つまり、人検知端末２００Ａの１つである人感センサ２００−１は、家屋１０における所定位置に設置されることで、その家屋１０に存在する人を検知する。そして、人の検知結果を示す人検知情報をネットワーク４００経由でサーバ５００に送信する。なお、人感センサ２００−１の検出方式としては、例えば赤外線や電波などを利用した方式を採用できる。
【００３０】
また、人検知端末２００Ａの１つであるカメラ２００−４は、撮像を行って得られる画像から人を検知し、人検知情報をサーバ５００に送信する。
なお、この場合のカメラ２００−４は、家屋１０の外を撮像するように設けられることで、家屋１０の近傍においてその外に存在する人を検知するようにされている。
【００３１】
また、家屋１０におけるスマートフォン２００−２とアクティブスピーカ２００−３は、サーバ５００から送信された測定結果通知音声を出力可能な音声出力端末２００Ｂとして機能する。なお、音声出力端末２００Ｂについては、第３の実施形態として後述する。
【００３２】
サーバ５００は、体重計１００から送信された測定値に対応して測定結果をユーザに通知するための測定結果通知音声を生成する。この際、サーバ５００は、人検知端末２００Ａから上記のように送信される人検知情報に基づいて、体重計１００の近傍におけるユーザ（被測定者）以外の人の存在状況を判定し、判定した人の存在状況ごとに対応してそれぞれ異なる測定結果通知音声を生成する。
そして、サーバ５００は、上記のように生成した測定結果通知音声を体重計１００に送信する。
【００３３】
体重計１００は、受信した測定結果通知音声を音声として出力する。
具体例として、体重計１００の周囲にユーザ以外の人が存在していない状況であると判定した場合、サーバ５００は、今回測定した体重と前回測定した体重との差分と、今回測定した体重と先週に測定した体重との差分と、今回測定した体重と先月に測定した体重との差分とをそれぞれ通知する測定結果通知音声を生成し、これを送信する。
体重計１００は、この測定結果通知音声を受信して、音声として出力する。例えば、「あなたの体重の前回との差は××キログラムです。先週との差は○○キログラムです。先月との差は△△キログラムです」のように出力する。
【００３４】
また、家屋１０において体重計１００の周囲にユーザ以外の人が存在している状況であると判定した場合、サーバ５００は、例えば、今回測定した体重と前回測定した体重との差分のみを通知するための測定結果通知音声を生成し、これを送信する。そして、体重計１００は、この測定結果通知音声を受信して、音声として出力する。
【００３５】
また、家屋１０の中に存在するユーザ以外の人は、例えば、家族や友人など、ユーザと親密な関係にあると考えられる。しかし、家屋１０の外に存在するユーザは、例えば通りすがりの人や近所の人であるなど、他人である可能性が高い。このような他人には、体重の測定結果に関する音声の情報はたとえ過去との差分であろうと知られないようにすることが好ましい。
そこで、家屋１０の外において体重計１００の周囲にユーザ以外の人が存在している状況であると判定した場合、サーバ５００は、例えば今回の測定結果がサーバ５００にて登録されたことのみを通知する測定結果通知音声を生成し、送信する。そして、体重計１００は、この測定結果通知音声を受信して、これを音声として出力する。この音声を聞くことで、ユーザは、例えば家屋１０の外ではあるが体重計１００の近傍に人が存在していることに気付くことができる。この場合、例えばユーザは、後から家屋１０の外に人がいなくなった頃を見計らってもう一度体重計１００を利用して体重を測定すればよい。
【００３６】
［体重計、人検知端末、サーバの構成］
図２は、体重計１００と、人検知端末２００Ａと、音声出力端末２００Ｂと、サーバ５００の構成例を示している。なお、この図においては、ルータ３００とネットワーク４００の図示は省略している。
【００３７】
体重計１００は、測定部１０１と、音声出力部１０２と、通信部１０３を備える。
測定部１０１は、体重を測定した結果を示す測定値を出力する。
音声出力部１０２は、音声を出力する。特に、通信部１０３により測定結果通知音声が受信された場合、音声出力部１０２は、この測定結果通知音声を入力して音声として出力する。
通信部１０３は、ルータ３００経由でネットワーク４００と通信を行う。本実施形態において、通信部１０３は、測定部１０１から出力された測定値をサーバ５００に送信する。また、通信部１０３は、サーバ５００から送信された測定結果通知音声を受信する。
【００３８】
人検知端末２００Ａは、人検知部２０１と、通信部２０２を備える。
人検知部２０１は、体重計１００の近傍の人を検知して人検知情報を出力する。通信部２０２は、人検知情報をネットワーク４００経由でサーバに送信する。
なお、音声出力端末２００Ｂについては第３の実施形態として後述する。
【００３９】
サーバ５００は、ユーザ情報管理部５０１と、ユーザ情報記憶部５０２と、人存在判定部５０３と、音声出力制御部５０４と、通信部５０５を備える。
ユーザ情報管理部５０１は、ユーザ情報記憶部５０２が記憶するユーザ情報を管理する。例えば、ユーザ情報管理部５０１は、通信部５０５により測定値が受信されるのに応じて、この測定値を現在日時と対応させ、測定履歴情報としてユーザ情報記憶部５０２に記憶させる。
ユーザ情報記憶部５０２は、ユーザ情報管理部５０１の制御に応じてユーザ情報を記憶する。
【００４０】
人存在判定部５０３は、通信部５０５が人検知端末２００Ａから受信した人検知情報に基づいて、体重計１００の近傍におけるユーザ（被測定者）以外の人の存在状況を判定する。
音声出力制御部５０４は、通信部５０５により受信された測定値に基づく測定結果を通知する測定結果通知音声を、判定された人の存在状況に応じた所定の態様により所定の音声出力部から出力させる。第１の実施形態において、測定結果通知音声が出力される所定の音声出力部は、体重計１００の音声出力部１０２である。
そのうえで、人存在判定部５０３は、ユーザ以外の人が体重計１００の近傍に存在していない状況と、ユーザ以外の人が体重計１００の近傍に存在している状況とを区別して判定する。これに応じて、音声出力制御部５０４は、ユーザ以外の人が体重計１００の近傍に存在していない状況と、ユーザ以外の人が体重計１００の近傍に存在している状況に応じて、それぞれ異なる内容の測定結果通知音声を生成する。
さらに、人存在判定部５０３は、ユーザ以外の人が体重計１００の近傍に存在している状況として、体重計１００の設置された家屋１０の外に存在している状況と、体重計１００の設置された家屋１０の外には存在していないが家屋１０内には存在している状況とを区別して判定する。これに応じて、音声出力制御部５０４は、ユーザ以外の人が体重計１００の設置された家屋１０の外に存在している状況と、ユーザ以外の人が体重計１００の設置された家屋１０内に存在しているが外には存在していない状況とに応じて、それぞれ異なる内容の測定結果通知音声を生成する。
【００４１】
通信部５０５は、ネットワーク４００経由で通信を行う。そして、通信部５０５は、音声出力制御部５０４により生成された測定結果通知音声をネットワーク経由で送信して、音声出力部１０２により前記測定結果通知音声を出力させる。
【００４２】
［ユーザ情報の構造］
図３は、ユーザ情報記憶部５０２が記憶するユーザ情報５２０の構造例を示している。
この図に示すユーザ情報５２０は、ユーザＩＤ５２１ごとに、測定履歴情報５２２と体重計情報５２３とを対応付けた構造を有する。
【００４３】
ユーザＩＤ５２１は、ユーザを一意に識別する識別子である。
測定履歴情報５２２は、対応のユーザについての測定値の履歴を示す。この測定履歴情報５２２は、１以上の測定日時５２２ａと測定値５２２ｂの組み合わせを含む。測定日時５２２ａは、対応の測定値５２２ｂが測定でされた日時を示す。測定値５２２ｂは、体重計１００から送信された測定値が示す体重の値である。これらの測定日時５２２ａと測定値５２２ｂは、対応のユーザの測定値が受信されるごとに追加登録される。
【００４４】
体重計情報５２３は、対応のユーザが使用するものとして登録された体重計１００に関する情報であり、例えば、メーカ５２３ａ、機種５２３ｂ、アドレス５２３ｃの情報を含む。メーカ５２３ａは、体重計１００のメーカを示す。機種５２３ｂは、体重計１００の機種を示す。アドレス５２３ｃは、体重計１００に割り当てられたネットワーク上のアドレスを示す。なお、この体重計情報５２３は、予め登録された情報である。
【００４５】
［処理手順例］
図４のフローチャートは、本実施形態の体重測定システムが実行する処理手順例を示している。
体重計１００において、測定部１０１は、例えばユーザが体重の測定を開始するのを待機している（ステップＳ１０１−ＮＯ）。そして、体重の計測が開始されるのに応じて（ステップＳ１０１−ＹＥＳ）、測定部１０１は体重を測定する（ステップＳ１０２）。
【００４６】
次に、測定部１０１は、ステップＳ１０２の測定に応じて測定値を出力し、この測定値を、今回体重を測定したユーザのユーザＩＤを付加して通信部１０３から送信させる（ステップＳ１０３）。
【００４７】
次に、音声出力部１０２は、ステップＳ１０３により送信した測定値に応答してサーバ５００が送信する測定結果通知音声が受信されるのを待機する（ステップＳ１０４−ＮＯ）。そして、測定結果通知音声が受信されるのに応じて（ステップＳ１０４−ＹＥＳ）、音声出力部１０２は、受信された測定結果通知音声を音声として出力する（ステップＳ１０５）。
【００４８】
また、サーバ５００において、人存在判定部５０３は、人検知端末２００Ａから一定時間(例えば数秒)ごとに送信される人検知情報が受信されるのを待機している(ステップＳ２０１−ＮＯ)。そして、人検知情報が受信されるのに応じて(ステップＳ２０１−ＹＥＳ)、人存在判定部５０３は、この受信された人検知情報を保持する(ステップＳ２０２)。
【００４９】
また、ユーザ情報管理部５０１は、前述のステップＳ１０３により体重計１００が送信する測定値が受信されるのを待機している（ステップＳ２０３−ＮＯ）。
【００５０】
そして、測定値が通信部５０５にて受信されるのに応じて(ステップＳ２０３−ＹＥＳ)、ユーザ情報管理部５０１は、受信された測定値に基づく測定履歴情報をユーザ情報記憶部５０２に記憶させる（ステップＳ２０４）。
つまり、ユーザ情報管理部５０１は、今回受信した測定値を測定値５２２ｂとし、これに対応する現在日時を測定日時５２２ａとして設定する。そして、ユーザ情報管理部５０１は、この設定した測定日時５２２ａと測定値５２２ｂとの組み合わせを、ユーザ情報５２０において今回受信した測定値に付加されたユーザＩＤが対応する測定履歴情報５２２に追加登録する。
【００５１】
次に、人存在判定部５０３は、最後のステップＳ２０２にて受信された人検知情報に基づいて、体重計１００の近傍のユーザ以外の人の存在状況について判定する（ステップＳ２０５）。
ここで、人存在判定部５０３は、ユーザ以外の人の存在状況として以下の３つのいずれかに区分して判定する。
つまり、人存在判定部５０３は、体重計１００の近傍においてユーザ以外の人が存在していない状況を判定する。
また、人存在判定部５０３は、１つには、体重計１００の近傍において家屋１０内には存在しているが、家屋１０の外には存在していないという状況を判定する。
また、人存在判定部５０３は、１つには、体重計１００の近傍において家屋１０の外にユーザ以外の人が存在している状況（この場合、家屋１０内において体重計１００の近傍にユーザ以外の人が存在していか否かは問わない）を判定する。
人存在判定部５０３は、例えば人感センサ２００−１から送信された人検知情報に基づいて、家屋１０内におけるユーザ以外の人の存在状況を認識できる。具体的に、人感センサ２００−１は、体重計１００の近傍に存在する人を検知できるように家屋１０内に設置される。一例として、体重計１００が家屋１０内の洗面所に設置されている場合には、家屋１０における洗面所の周囲(例えば洗面所前の廊下やフロア)において存在する人を検知できるように人感センサ２００−１を設置する。そして、人を検知したことを示す人検知検出情報が人感センサ２００−１から送信された場合に、人存在判定部５０３は、家屋１０において、体重計１００の近傍にユーザ以外の人が存在していると判定すればよい。
また、人存在判定部５０３は、家屋１０の外において、体重計１００の近傍に存在する人については、家屋１０の外を撮影するように設置されたカメラ２００−４からの人検知情報により判定することができる。
【００５２】
次に、音声出力制御部５０４は、ステップＳ２０５による人の存在状況についての判定結果に応じた内容の測定結果通知音声を生成する（ステップＳ２０６）。そして、音声出力制御部５０４は、生成した測定結果通知音声を測定値の送信元である体重計１００に送信して、音声出力部１０２により出力させる（ステップＳ２０７）。このとき、音声出力制御部５０４は、ステップＳ２０３にて受信した測定値に付加されたユーザＩＤに対応付けられていたアドレス５２３ｃを送信先として測定結果通知音声を送信する。
【００５３】
また、人検知端末２００Ａにおいて、人検知部２０１は、人検知情報出力の周期に対応する一定時間が経過するのを待機している(ステップＳ３０１−ＮＯ)。そして、一定時間が経過すると(ステップＳ３０１−ＹＥＳ)、人検知部２０１は、人を検知するための処理を実行する（ステップＳ３０２）。
具体的に、人感センサ２００−１が人検知端末２００Ａであれば、人検知部２０１は、センサにて検出される検出信号に基づいて、人の有無をその人数とともに検知する。また、カメラ２００−４が人検知端末２００Ａであれば、人検知部２０１は、撮像を行って撮像画像を得るとともに、この撮像画像から人を検知する。
そして、人検知部２０１は、ステップＳ３０２による検知結果を示す人検知情報を通信部２０２からサーバ５００に対して送信する（ステップＳ３０３）。
【００５４】
なお、図４において、人検知端末２００Ａは、自律的に一定時間ごとに人検知処理を実行して人検知情報を出力するようにされている。しかし、サーバ５００が例えば測定値の受信に応じたタイミングで人検知端末２００Ａに人検知情報を要求し、人検知端末２００Ａがこの要求に応答して人検知情報を出力するようにしてもよい。
前者の構成の場合、サーバ５００と人検知端末２００Ａがコマンドとレスポンスの送受信を逐一実行する必要がないために実装が容易である。また、後者の場合、人検知部２０１は、要求が受信されたときにのみ人検知処理を実行して人検知情報を送信する動作を実行させることができるので、消費電力量を節減できる。
【００５５】
図５のフローチャートは、図４のステップＳ２０６としての測定結果通知音声生成のための処理手順例を示している。
まず、音声出力制御部５０４は、先の図４のステップＳ２０５において体重計１００の近傍にユーザ以外の人が存在しているとの判定結果が得られたか否かについて判定する（ステップＳ４０１）。ここで、ユーザ以外の人が存在していないとの判定結果が得られていた場合（ステップＳ４０１−ＮＯ）、音声出力制御部５０４は、人が存在しない状況に対応する測定結果通知音声を生成する（ステップＳ４０５）。
例えば、前述のように、音声出力制御部５０４は、今回測定した体重と前回測定した体重との差分と、今回測定した体重と先週に測定した体重との差分と、今回測定した体重と先月に測定した体重との差分とをそれぞれ通知する測定結果通知音声を生成する。
【００５６】
一方、ユーザ以外の人が存在しているとの判定結果が得られていた場合（ステップＳ４０１−ＹＥＳ）、さらに、家屋１０の外に存在していることが判定されていたか否かについて判定する（ステップＳ４０２）。ここで、家屋１０内には存在しているが家屋１０の外には存在していないとの判定結果であった場合（ステップＳ４０２−ＮＯ）、音声出力制御部５０４は、人が家屋１０内には存在しているが家屋１０の外には存在していない状況に対応する測定結果通知音声を生成する（ステップＳ４０３）。具体的に、例えば音声出力制御部５０４は、前述のように、今回測定した体重と前回測定した体重との差分のみを通知するための測定結果通知音声を生成する。
【００５７】
また、家屋１０の外に存在していた場合（ステップＳ４０２−ＹＥＳ）、例えば音声出力制御部５０４は、測定結果（測定履歴情報）がサーバ５００にて登録されたことのみを通知する測定結果通知音声を生成する（ステップＳ４０４）。
【００５８】
＜第２の実施形態＞
［概要］
続いて、本実施形態における第２の実施形態について説明する。第２の実施形態としての体重測定システムの構成は、図１および図２と同様である。
第１の実施形態において、ユーザ以外の人が家屋１０の外に存在していた場合には、ユーザのプライバシーを最大限に守る目的から、過去の体重との差分を示す測定結果を示す内容の測定結果通知音声は出力させないようにしている。この場合において、ユーザが再度体重を確認するためには、家屋１０の外に人がいなくなったのを見計らって、再度体重計１００により体重を測定することになる。
しかし、例えば、家屋１０の外に人がいなくなったことを検知したのに応じて、自動的に、過去の体重との差分を示す測定結果があらためて出力されるようになっていれば、ユーザは、体重を測定し直す必要がなくなって好ましい。
そこで、第２の実施形態においては、体重を測定したときに家屋１０の外に人が存在していたために過去の体重との差分を示す測定結果が音声で出力されなかった場合において、この後に、家屋１０の外に人が存在しなくなる状態に変化したのであれば、自動的に、過去の体重との差分を示す測定結果を出力する。以下、この点について説明する。
【００５９】
［処理手順例］
第２の実施形態において、体重計１００、サーバ５００および人検知端末２００Ａは、それぞれ、図４と同様の処理を実行する。
ただし、第２の実施形態のサーバ５００は、ステップＳ２０６の測定結果通知音声生成の処理において、図５のステップＳ４０４を実行した場合（ユーザ以外の人が家屋１０の外に存在する状況に応じて測定結果通知音声を生成した場合）に、以下の処理を実行する。つまり、この場合のサーバ５００は、図４のステップＳ２０７までの処理を実行してユーザ以外の人が家屋１０の外に存在する状況に応じた測定結果通知音声を送信した後、これに続けて、図６のフローチャートに示す処理を実行する。
図６は、家屋１０の外に人が存在しなくなる状態となるのを待機し、この状態となるのに応じて、過去の体重との差分を示す測定結果が反映された測定結果通知音声をあらためて送信するための処理である。
【００６０】
このために、人存在判定部５０３は、人検知端末２００Ａが一定時間ごとに送信する人検知情報を受信するごとに（ステップＳ５０１）、再度、この人検知情報に基づいて、体重計１００の近傍のユーザ以外の人の存在状況について判定する（ステップＳ５０２）。そのうえで、この場合には、まず、先の図５のステップＳ４０２の処理において家屋１０の外に存在していると判定されるのに応じて、家屋１０の外に人が未だ存在している状態が続いているか否かについて判定する（ステップＳ５０３）。
【００６１】
ここで、家屋１０の外に人が未だ存在していると判定された場合には（ステップＳ５０３−ＹＥＳ）、ステップＳ５０１に戻る。そして、家屋１０の外に人が存在しない状態に変化した場合（ステップＳ５０３−ＮＯ）、そのときのユーザ以外の人の存在状況としては、家屋１０内に存在している状況と、家屋１０内に存在していない状況のいずれかとなる。そこで、この場合の人存在判定部５０３は、現在において家屋１０内にユーザ以外の人が存在している状況であるか否かについて判定する（ステップＳ５０４）。
家屋１０内にユーザ以外の人が存在していない状況である場合（ステップＳ５０４−ＮＯ）、音声出力制御部５０４は、図５のステップＳ４０５と同様に、人が存在しない状況に対応する測定結果通知音声を生成する（ステップＳ５０４）。
また、家屋１０内にユーザ以外の人が存在している状況である場合（ステップＳ５０４−ＹＥＳ）、音声出力制御部５０４は、図５のステップＳ４０３と同様に、人が家屋１０内には存在しているが家屋１０の外には存在していない状況に対応する測定結果通知音声を生成する（ステップＳ５０６）。
そして、音声出力制御部５０４は、ステップＳ５０６またはＳ５０７により生成された測定結果通知音声を、測定値の送信元である体重計１００に送信する（ステップＳ５０７）。
【００６２】
＜第３の実施形態＞
続いて、第３の実施形態について説明する。
これまでに説明した第１と第２の実施形態において、サーバ５００は、生成した測定結果通知音声を体重計１００に送信して、体重計１００により出力させていた。
【００６３】
第３の実施形態において、サーバ５００は、生成した測定結果通知音声を、体重計１００ではなく、同じ家屋１０に存在する音声出力端末２００Ｂに送信し、この音声出力端末２００Ｂが備える音声出力部２１１により音として出力させる。
【００６４】
例えば図１に示す家屋１０内の端末において、音声出力端末２００Ｂとして機能させることができるものは、スマートフォン２００−２やアクティブスピーカ２００−３などである。これらの音声出力端末２００Ｂにより測定結果通知音声を出力させることにより、例えば、ユーザは、より明瞭に測定結果通知音声を聞き取ることができる。
【００６５】
また、例えばスマートフォン２００−２であれば、例えばユーザは手軽にイヤフォンを用いてその音声を聞くことができる。イヤフォンにより測定結果通知音声を聞く場合、その近傍に存在しているユーザ以外の人に測定結果通知音声が聞き取られることはない。そこで、例えばサーバ５００は、スマートフォン２００−２などのようにイヤフォンで音声を聞くことが一般的であるような端末に測定結果通知音声を送信する場合には、人存在判定部５０３による判定結果に係わらず、人が存在しない状況に対応する測定結果通知音声を常に生成して送信するようにしてもよい。
【００６６】
図２には、音声出力端末２００Ｂの機能構成例が示されている。音声出力端末２００Ｂは、音声出力部２１１と通信部２１２を備える。音声出力部２１１は、通信部２１２により受信された測定結果通知音声としての音声信号を入力して増幅などを行って、スピーカまたはヘッドフォン端子に接続されたイヤフォンやヘッドフォンなどから音として出力させる。
通信部２１２は、ルータ３００からネットワーク４００を経由して通信を行う部位である。これにより、通信部２１２は、サーバ５００が音声出力端末２００Ｂに対して測定結果通知音声を送信してきた場合には、これを受信することができる。
【００６７】
＜第４の実施形態＞
［概要］
続いて、第４の実施形態の実施形態について説明する。先の第１の実施形態では、人の存在状況に応じて、測定結果通知音声の内容を変更していた。
これに対して、第４の実施形態では、測定結果通知音声を出力させる端末を変更するというものである。１つの具体例として、第４の実施形態においては、体重計１００の近傍にユーザ以外の人が存在していない状況であれば、体重計１００から測定結果通知音声を出力させる。これに対して、体重計１００の近傍にユーザ以外の人が存在している状況であれば、ユーザが所有するスマートフォン２００−２(携帯電話であってもよい)に測定結果通知音声を出力させる。
【００６８】
［処理手順例］
図７は、第４の実施形態におけるサーバ５００が実行する処理手順例を示している。なお、この図において、図４におけるサーバ５００と同じステップについては同一符号を付して説明を省略する。
【００６９】
図７において、ステップＳ２０１〜Ｓ２０５までの処理は、図４と同様である。
そのうえで、音声出力制御部５０４は、ステップＳ２０５に続き、測定結果通知音声を生成する（ステップＳ２０６Ａ）。なお、このステップＳ２０６Ａにおいては、音声出力制御部５０４は、例えば第１の実施形態において体重計１００の近傍にユーザ以外の人が存在していない場合に対応する内容の測定結果通知音声を生成すればよい。
【００７０】
次に、音声出力制御部５０４は、ステップＳ２０５の判定結果から、体重計１００の近傍にユーザ以外の人が存在している状況であるか否かについて判定する(ステップＳ２０７Ａ)。この場合において、ユーザ以外の人が存在している場所については、家屋１０内とその屋外の区別は問わない。
【００７１】
ユーザ以外の人が存在していると判定した場合(ステップＳ２０７Ａ−ＹＥＳ)、音声出力制御部５０４は、体重計１００のユーザが所有するスマートフォン２００−２に対して発呼を行うための処理を実行する（ステップＳ２０７Ｂ）。
なお、第４の実施形態におけるユーザ情報５２０には、図３に示す構造に対して、さらに、ユーザが所有するスマートフォン(携帯電話であってもよい)の電話番号が登録されている。音声出力制御部５０４が発呼の制御を行うにあたっては、この電話番号をユーザ情報５２０から読み出す。
【００７２】
ステップＳ２０７Ｂに応じて、ユーザが所有するスマートフォンは着呼を通知するので、ユーザは、スマートフォンを通話の状態に切り替える。このように通話情報に切り替わるのに応じて、音声出力制御部５０４は、発話音声として、ステップＳ２０６Ａにより生成した測定結果通知音声を送信する（ステップＳ２０７Ｃ）。
【００７３】
また、ユーザ以外の人が存在していないと判定した場合(ステップＳ２０７Ａ−ＮＯ)、音声出力制御部５０４は、体重計１００の音声出力部１０２にて測定結果通知音声を出力させるために、体重計１００に対して測定結果通知音声を送信する（ステップＳ２０７Ｄ）。
【００７４】
このように、第４の実施形態では、ユーザは、体重計１００の近傍にユーザ以外の人が存在する場合には、ユーザが所有するスマートフォンや携帯電話により測定結果を聞くことができる。この場合、周囲の人には測定結果通知音声は聞こえないことから、ユーザのプライバシーを守ることができる。また、この場合には、ユーザ以外の人に聞こえてしまうことがないので、測定結果通知音声の内容については、例えば今回測定した体重と前回測定した体重との差分など、最も直接的な内容とすることができる。
なお、図７においては、スマートフォン（携帯電話）の通話機能を利用して測定結果通知音声を出力させることとしているが、例えばスマートフォンにインストールした体重測定アプリケーションにより測定結果通知音声を出力させるようにしてもよい。
【００７５】
＜第５の実施形態＞
続いて、第５の実施形態について説明する。
第５の実施形態では、体重計の近傍における人の存在状況に応じた測定結果通知音声の出力態様の変更を、体重計単体により実現するものである。
【００７６】
図８は、第５の実施形態における体重計１００Ａの構成例を示している。なお、この図において、図２の体重計１００と同一部分は同一符号を付して説明を省略する。
図８に示す体重計１００Ａは、測定部１０１、音声出力部１０２、ユーザ情報管理部１１１、ユーザ情報記憶部１１２、人検知部１１３、人存在判定部１１４および音声出力制御部１１５を備える。
【００７７】
ユーザ情報管理部１１１は、ユーザ情報記憶部１１２が記憶するユーザ情報を管理する。この場合のユーザ情報管理部５０１は、測定部１０１が出力した測定値を現在日時と対応させ、測定履歴情報としてユーザ情報記憶部１１２に記憶させる。
【００７８】
ユーザ情報記憶部１１２は、ユーザ情報管理部１１１の制御に応じてユーザ情報を記憶する。ユーザ情報記憶部１１２に記憶されるユーザ情報の構造は、図３に準ずればよい。ただし、第５の実施形態において、ユーザ情報の体重計情報は省略してよい。
【００７９】
人検知部１１３は、体重計１００Ａの近傍の人を検知して人検知情報を出力する。この人検知部１１３は、例えば人感センサなどであり、体重計１００Ａの本体において、体重計１００の周囲のユーザ以外の人を検知できるように設けられる。
【００８０】
人存在判定部１１４は、人検知部１１３が出力した人検知情報に基づいて、体重計１００Ａの近傍におけるユーザ（被測定者）以外の人の存在状況を判定する。
【００８１】
音声出力制御部１１５は、測定値に基づく測定結果を通知する測定結果通知音声を、人存在判定部１１４により判定された人の存在状況に応じた所定の態様により音声出力部１０２から出力させる。
一例として、音声出力制御部１１５は、体重計１００Ａの周囲にユーザ以外の人が存在していない状況であると判定した場合、今回測定した体重と前回測定した体重との差分を示す内容の測定結果通知音声を音声出力部１０２により出力させる。
また、体重計１００Ａの周囲にユーザ以外の人が存在している状況であると判定した場合、今回測定した体重と先週に測定した体重との差分を示す内容の測定結果通知音声を音声出力部１０２により出力させる。
【００８２】
このような構成であれば、体重計１００Ａ単体により、その周囲におけるユーザ以外の人の存在状況に応じて測定結果通知音声の内容を変更して出力させることができる。ただし、体重計１００Ａ単体によっては、屋外の人の存在状況に応じて測定結果通知音声の内容を変更したりすることは難しい。そこで、先の第１〜第３の実施形態の構成とすれば、屋外の人の存在状況に応じて測定結果通知音声の内容を変更させることが可能になる。さらに、スマートフォンなどにより測定結果通知音声を出力させることも可能になる。
【００８３】
＜第６の実施形態＞
次に、本実施形態における第６の実施形態について説明する。これまでの実施形態では、体重計１００（または１００Ａ）の近傍における人の存在状況に応じて測定結果通知音声の出力態様を変更させていた。
そのうえで、第６の実施形態においては、さらに体重計１００の周囲の音量の状況に応じて測定結果通知音声の出力態様を変更する。一例として、体重計１００の周囲の音量が一定以上に大きい、つまり騒音が大きいような場合には、測定結果通知音声を出力しない、または、測定が完了した旨のメッセージのみを出力するというものである。
例えば、洗濯機も設置された洗面所に体重計１００が設置されている場合には、洗濯機が稼働しているときの動作音が相当に大きく、このときには、測定結果通知音声を聞き取りづらい。そこで、このようなときには、測定結果通知音声を出力しない、または、測定が完了した旨のメッセージのみを出力させる。これにより、測定結果通知音声が無駄に出力されることがなくなる。
【００８４】
このような動作を実現するための構成の１つ（第１の構成）は、体重計１００に対して周囲の音の大きさを検知する音量検出部を設ける。そして、測定結果通知音声を出力すべきタイミングにおいて、この音量検出部が検知する音量が一定以上である場合には、体重計１００における音声出力部１０２が測定結果通知音を出力しないようにする、あるいは、測定完了を伝えるメッセージの音声を出力するというものである。この構成は、第１〜第４の実施形態のいずれに対しても組み合わせることができる。
また、もう１つの構成（第２の構成）は、第１〜第３の実施形態に対応するもので、体重計１００が備える音量検出部が検知した音量を示す音量情報をサーバ５００に送信する。そして、サーバ５００における音声出力制御部１１５は、音量情報が示す音量が一定以上の場合には、測定結果通知音声を生成しない、あるいは、測定完了を伝えるメッセージの音声が体重計１００から出力されるように制御するというものである。
【００８５】
図９は、第６の実施形態に対応する体重計１００の構成例を示している。なお、この図において、図２に示した体重計１００と同一部分については同一符号を付して説明を省略する。
図９に示す体重計１００は、音量検出部１０４をさらに備える。音量検出部１０４は、体重計１００の周囲の音量を検出して音量情報を出力する。なお、音量情報は、音量を示すものであってもよいし、音量が一定以上であることを示すものであってもよい。
そのうえで、第１の構成を採る場合、音量検出部１０４は、音量情報を音声出力部１０２に出力する。また、第２の構成を採る場合、音量検出部１０４は、音量情報を通信部１０３からサーバ５００に送信する。
【００８６】
＜第７の実施形態＞
続いて、第７の実施形態について説明する。
これまでに説明した実施形態においては、体重が測定されたタイミングに応じて、体重計１００の周囲における人の存在状況を判定している。このために、測定結果通知音声の出力中にユーザ以外の人が近づいてきて体重計１００の近傍に存在する状況になったとしても、測定結果通知音声はそのまま出力されてしまい、そのユーザ以外の人に聞かれてしまう可能性がある。
そこで、第７の実施形態では、測定結果通知音声の出力中においてユーザが体重計１００から降りると、そのタイミングで測定結果通知音声の出力を中断させる。このための構成としては、例えば、体重計１００の音声出力部１０２が測定部１０１により測定される体重の計測値を監視する。そして、音声出力部１０２は、測定結果通知音声の出力中における体重の計測値に基づいて体重計１００の上に人が乗っている状態から乗っていない状態に変化したことを判定した場合に、測定結果通知音声の出力を停止させればよい。
また、体重の計測値はサーバ５００にも送信される。そこで、サーバ５００における音声出力制御部１１５が、送信された計測値に基づいて体重計１００の上に人が乗っている状態から乗っていない状態に変化したことを判定した場合に、測定結果通知音声の出力を停止させるようにしてもよい。
【００８７】
なお、これまでの説明においては測定結果通知音声として、今回測定された体重と過去に測定された体重との差分を出力させることとしている。これ以外にも、例えば、ユーザの身長を予めサーバ５００に登録しておいたうえで、体重の測定値を利用してＢＭＩ（Body Mass Index）を求め、このＢＭＩについての過去との差分などを測定結果通知音声としてサーバ５００が生成してもよい。また、例えば最近の体重計では、体重とともに体脂肪率も測定できるものが広く普及しているので、体重とともに体脂肪率なども含む測定値に基づく測定結果通知音声をサーバ５００が生成するようにしてもよい。
【００８８】
また、家屋１０において人検知端末２００Ａまたは音声出力端末２００Ｂなどとして備えられる端末は、図１に示した以外のものであってもよい。一例として、人を検知して自動で電源をコントロールするテレビジョン受像機や、温度をコントロールするエアコンディショナなどが知られているが、このような機能を備えるテレビジョン受像機やエアコンディショナなどを人検知端末２００Ａとして使用してもよい。また、現在では、テレビジョン受像機などに限らず、多くの家電機器が音声出力機能を有しているので、このように音声出力機能を備える機器を音声出力端末２００Ｂとして使用することもできる。
【００８９】
また、図２に示した体重計１００、人検知端末２００Ａ、音声出力端末２００Ｂおよびサーバ５００における所定の機能部を実現するためのプログラムをコンピュータ読み取り可能な記録媒体に記録して、この記録媒体に記録されたプログラムをコンピュータシステムに読み込ませ、実行することにより測定結果通知を行ってもよい。なお、ここでいう「コンピュータシステム」とは、ＯＳや周辺機器等のハードウェアを含むものとする。
【００９０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００９１】
以上、この発明の実施形態について図面を参照して詳述してきたが、具体的な構成はこの実施形態に限られるものではなく、この発明の要旨を逸脱しない範囲の設計等も含まれる。
【符号の説明】
【００９２】
１０  家屋
１００  体重計
１０１  測定部
１０２  音声出力部
１０３  通信部
２００Ａ  人検知端末
２００Ｂ  音声出力端末
２０１  人検知部
２０２  通信部
２１１  音声出力部
２１２  通信部
３００  ルータ
４００  ネットワーク
５００  サーバ
５０１  ユーザ情報管理部
５０２  ユーザ情報記憶部
５０３  人存在判定部
５０４  音声出力制御部
５０５  通信部
５２０  ユーザ情報
【図１】
2013257295.tif 000003
【図２】
2013257295.tif 000004
【図３】
2013257295.tif 000005
【図４】
2013257295.tif 000006
【図５】
2013257295.tif 000007
【図６】
2013257295.tif 000008
【図７】
2013257295.tif 000009
【図８】
2013257295.tif 000010
【図９】
2013257295.tif 000011